(57)【特許請求の範囲】
【請求項１】
非接触式データキャリアと、前記非接触式データキャリア用の補助アンテナとを有する非接触式データキャリア装置であって、
前記補助アンテナは、矩形の第１の絶縁基材と、当該第１の絶縁基材の表面かつ当該第１の絶縁基材の周縁に沿って周回状に矩形に形成された第１のアンテナコイルと、前記第１の絶縁基材に形成され前記第１のアンテナコイルに接続された、少なくとも第１のコンデンサを含む第１の部材とを有し、
前記第１のアンテナコイルおよび前記第１の部材は、第１の共振回路を構成しており、
前記非接触式データキャリアは、矩形の第２の絶縁基材と、当該第２の絶縁基材に搭載された、信号処理を行う電子回路と、前記第２の絶縁基材の表面かつ前記第２の絶縁基材の周縁に沿って周回状に矩形に形成された第２のアンテナコイルと、前記第２の絶縁基材に形成され前記第２のアンテナコイルに接続された、少なくとも第２のコンデンサを含む第２の部材とを有し、
前記第２のアンテナコイルおよび前記第２の部材は、第２の共振回路を構成しており、
前記第１の共振回路と前記第２の共振回路の共振周波数は等しいまたは略等しく、
前記第１の共振回路および前記第２の共振回路は、前記電子回路に接続されており、
前記第２の絶縁基材の面積は、前記第１の絶縁基材の面積より小さく、前記第１のアンテナコイルの周回内に配置されており、
前記第１のアンテナコイルが囲む領域は、前記第２のアンテナコイルが囲む領域の２倍以上の面積を有し、
前記矩形の第１のアンテナコイルのうち前記矩形の第２のアンテナコイルに近接する部分と、前記第２のアンテナコイルのうち前記第１のアンテナコイルに近接する部分とが、平行または略平行であり、
前記非接触式データキャリアの前記第２の絶縁基材は、カードサイズまたは名刺サイズと同一または略同一であり、
前記第１のアンテナコイルの最内周と前記第２のアンテナコイルの最外周との最短距離は、２ｃｍ以下または略２ｃｍ以下であり、
前記第１のアンテナコイルの最外周と、前記第２のアンテナコイルの最外周との最短距離は、２ｃｍ以下または略２ｃｍ以下である、
非接触式データキャリア装置。
【請求項２】
前記補助アンテナは、前記非接触式データキャリアを収納するポケットをさらに有し、
前記ポケットは絶縁物からなる、
請求項１記載の非接触式データキャリア装置。
【請求項３】
前記補助アンテナは、前記第１の絶縁基材上に形成された前記第１のアンテナコイルを覆う保護層と、前記非接触式データキャリアを収納するポケットとをさらに有し、
前記ポケットは、前記保護層により形成されている、
請求項１に記載の非接触式データキャリア装置。
【請求項４】
前記非接触式データキャリアは、接着剤またはのりにより前記補助アンテナの前記第１の絶縁基材に接着されている、
請求項１に記載の非接触式データキャリア装置。
【請求項５】
前記第１のアンテナコイルが囲む領域と前記第２のアンテナコイルが囲む領域とが重なるように、前記補助アンテナおよび前記非接触式データキャリアが配置されており、
前記第１の絶縁基材のうち前記第１のアンテナコイルの形成面と、前記第２の絶縁基材のうち前記第２のアンテナコイルの形成面とが、平行または略平行である、
請求項１〜４の何れかに記載の非接触式データキャリア装置。
【請求項６】
前記第１の絶縁基材は、硬質の絶縁基板である、
請求項１〜５の何れかに記載の非接触式データキャリア装置。
【請求項７】
請求項１〜６のいずれかに記載の前記非接触式データキャリア装置が装着された収納体であって、
前記第１の共振回路および／または前記第２の共振回路を介してリーダライタとの信号の送受信を行い、当該送受信に応じて前記電子回路が信号処理を行う、
収納体。
【請求項８】
前記第１の共振回路および／または前記第２の共振回路を介してリーダライタとの信号の送受信を行い、当該送受信に応じて前記電子回路が信号処理を行う、
請求項１〜６のいずれかに記載の非接触式データキャリア装置。
【発明の詳細な説明】
【０００１】
【発明の属する技術分野】
本発明は、非接触式データキャリアおよび補助アンテナを有する非接触式データキャリア装置と、前記非接触式データキャリア装置を用いた収納体に関する。
【０００２】
【従来の技術】
非接触式データキャリアが、万引防止装置や物流システム等で使用されている。このような非接触式データキャリアは、例えば、製品の包装箱や製品自体に貼付されて使用され、または、定期券として使用される。
従来の非接触式データキャリアには、一例として、最大通信距離が３８ｃｍ程度のカードサイズ程度または名刺サイズ程度のものがある。
【０００３】
【発明が解決しようとする課題】
図１は、物流システムを例示する説明図であり、物流システムは、例えば、宅配便に利用される。
この物流システム１５０は、ベルトコンベア１５５と、このベルトコンベア１５５に搭載された段ボール箱１５１と、非接触式データキャリア１１２と、柱１５９に設置されたリーダライタ１５８とを有する。
【０００４】
段ボール箱１５１の上面は折り畳まれており、柱１５９側の側面１５３には非接触式データキャリア１１２が貼付されている。
この段ボール箱１５１は、ベルトコンベア１５５により矢印１５５Ａの方向に移動し、非接触式データキャリア１１２は、リーダライタ１５８との通信距離の範囲外から範囲内に移動し、リーダライタ１５８との無線通信を行う。
リーダライタ１５８は、非接触式データキャリア１１２との無線通信により、段ボール箱１５１の出荷先等の情報を読み取り、読み取った情報を不図示のコンピュータに供給する。
【０００５】
段ボール箱１５１は、ベルトコンベア１５５により矢印１５５Ａの方向にさらに移動し、非接触式データキャリア１１２は、リーダライタ１５８との通信距離の範囲外に移動する。
【０００６】
上記の物流管理システム１５０では、非接触式データキャリア１１２とリーダライタ１５８とを通信距離の範囲内に近づける必要があり、通信距離が短い場合は、ベルトコンベア１５５と柱１５９との距離を短くする必要があると共に、段ボール箱１５１の搭載位置がかなり制約される。
【０００７】
図２は、自動改札システムを例示する説明図である。
この自動改札システム１６０は、自動改札機１６９と、非接触式データキャリア１１２とを有する。非接触式データキャリア１１２は、定期券として使用されている。
自動改札機１６９の上面１６７にはリーダライタ１６８が設置されている。
【０００８】
自動改札システム１６０の利用者は、改札口を通過する場合に、非接触式データキャリア１１２を自動改札機１６９のリーダライタ１６８に近づける。
そして、非接触式データキャリア１１２は、リーダライタ１６８との通信距離の範囲外から範囲内に移動し、リーダライタ１６８との無線通信を行う。
リーダライタ１６８は、非接触式データキャリア１１２との無線通信により、定期券の有効期限等の情報を読み取り、前記情報に基づいて自動改札機１６９は不図示のゲートを開閉する。
【０００９】
上記の自動改札システム１６０では、非接触式データキャリア１１２とリーダライタ１６８とを通信距離の範囲内に近づける必要があり、通信距離が短い場合は利用者は非接触式データキャリア１１２をリーダライタ１６８にかざす必要があり、手間がかかる。
【００１０】
本発明の目的は、非接触式データキャリアおよび補助アンテナを有する非接触式データキャリア装置であって、非接触式データキャリアの通信距離を拡大可能な非接触式データキャリア装置と、この非接触式データキャリア装置を用いた収納体を提供することにある。
【００１１】
【課題を解決するための手段】
本発明によれば、非接触式データキャリアと、前記非接触式データキャリア用の補助アンテナとを有する非接触式データキャリア装置であって、
前記補助アンテナは、矩形の第１の絶縁基材と、当該第１の絶縁基材の表面かつ当該第１の絶縁基材の周縁に沿って周回状に矩形に形成された第１のアンテナコイルと、前記第１の絶縁基材に形成され前記第１のアンテナコイルに接続された、少なくとも第１のコンデンサを含む第１の部材とを有し、
前記第１のアンテナコイルおよび前記第１の部材は、第１の共振回路を構成しており、
前記非接触式データキャリアは、矩形の第２の絶縁基材と、当該第２の絶縁基材に搭載された、信号処理を行う電子回路と、前記第２の絶縁基材の表面かつ前記第２の絶縁基材の周縁に沿って周回状に矩形に形成された第２のアンテナコイルと、前記第２の絶縁基材に形成され前記第２のアンテナコイルに接続された、少なくとも第２のコンデンサを含む第２の部材とを有し、
前記第２のアンテナコイルおよび前記第２の部材は、第２の共振回路を構成しており、
前記第１の共振回路と前記第２の共振回路の共振周波数は等しいまたは略等しく、
前記第１の共振回路および前記第２の共振回路は、前記電子回路に接続されており、
前記第２の絶縁基材の面積は、前記第１の絶縁基材の面積より小さく、前記第１のアンテナコイルの周回内に配置されており、
前記第１のアンテナコイルが囲む領域は、前記第２のアンテナコイルが囲む領域の２倍以上の面積を有し、
前記矩形の第１のアンテナコイルのうち前記矩形の第２のアンテナコイルに近接する部分と、前記第２のアンテナコイルのうち前記第１のアンテナコイルに近接する部分とが、平行または略平行であり、
前記非接触式データキャリアの前記第２の絶縁基材は、カードサイズまたは名刺サイズと同一または略同一であり、
前記第１のアンテナコイルの最内周と前記第２のアンテナコイルの最外周との最短距離は、２ｃｍ以下または略２ｃｍ以下であり、
前記第１のアンテナコイルの最外周と、前記第２のアンテナコイルの最外周との最短距離は、２ｃｍ以下または略２ｃｍ以下である、
非接触式データキャリア装置が提供される。
また本発明によれば、上記非接触式データキャリア装置を適用した収納体が提供される。
【００１２】
本発明に係る非接触式データキャリア装置では、好適には、前記補助アンテナは、前記非接触式データキャリアを収納するポケットをさらに有し、前記ポケットは絶縁物からなる。
【００１３】
本発明に係る非接触式データキャリア装置では、好適には、前記補助アンテナは、前記第１の絶縁基材上に形成された前記第１のアンテナコイルを覆う保護層と、前記非接触式データキャリアを収納するポケットとをさらに有し、前記ポケットは、前記保護層により形成されている。
【００１４】
本発明に係る非接触式データキャリア装置では、好適には、前記非接触式データキャリアは、接着剤またはのりにより前記補助アンテナに接着されている。
【００１９】
本発明に係る非接触式データキャリア装置では、好適には、前記第１の絶縁基材は、硬質の絶縁基板である。
【００３２】
【発明の実施の形態】
以下、本発明の実施の形態を添付図面を参照して説明する。
【００３３】
図３は、本発明に係る非接触式データキャリア装置の第１の実施の形態を示す構成図である。
この非接触式データキャリア装置１０は、補助アンテナ１４と、非接触式データキャリア１２とを有する。
【００３４】
補助アンテナ１４は、矩形状または略矩形状の絶縁基材１１と、アンテナコイル１５と、部材１７とを有する。
絶縁基材１１の表面には、絶縁基材１１の周縁に沿って周回する線パターンからなるアンテナコイル１５が形成されている。絶縁基材１１は、一例として、硬質の絶縁基板とする。
【００３５】
このアンテナコイル１５は、最外周の線パターン１６Ｃと、最内周の線パターン１６Ａと、線パターン１６Ａ，１６Ｃ間の線パターン１６Ｂとを有する。
最内周の線パターン１６Ａの端子と最外周の線パターン１６Ｃの端子とは、部材１７を介して接続されており、線パターンの巻数は３である。
部材１７は、例えば、ＩＣチップ、コンデンサ等により構成され、また、当該ＩＣチップにコンデンサをパターン形成してもよい。
【００３６】
非接触式データキャリア１２は、補助アンテナ１４の絶縁基材１１の表面に固定されている。非接触式データキャリア１２の絶縁基材７１の表面には、絶縁基材７１の周縁に沿って周回する線パターンからなるアンテナコイル７５が形成されている。
【００３７】
非接触式データキャリア装置１０において、アンテナコイル１５のうちアンテナコイル７５に近接する部分と、アンテナコイル７５のうちアンテナコイル１５に近接する部分とが、平行または略平行になっている。
【００３８】
非接触式データキャリア１２および補助アンテナ１４は、アンテナコイル１５が囲む領域とアンテナコイル７５が囲む領域とが重なるように配置されており、絶縁基材１１のうちアンテナコイル１５の形成面と、絶縁基材７１のうちアンテナコイル７５の形成面とが、平行または略平行になっている。
【００３９】
非接触式データキャリア１２の絶縁基材７１は、カードサイズまたは名刺サイズと同一または略同一であり、補助アンテナ１４がない場合の通信距離は、一例として約４０ｃｍ〜約３８ｃｍである。
アンテナコイル１５の最内周の線パターン１６Ａと、アンテナコイル７５の最外周の線パターンとの最短距離は、２ｃｍ以下または略２ｃｍ以下とし、または、アンテナコイル１５の最外周の線パターン１６Ｃと、アンテナコイル７５の最外周の線パターンとの最短距離は、２ｃｍ以下または略２ｃｍ以下とする。
【００４０】
非接触式データキャリア装置１０において、補助アンテナ１４のアンテナコイル１５が囲む領域は、非接触式データキャリア１２のアンテナコイル７５が囲む領域の２倍以上の面積を有している。
補助アンテナ１４において、アンテナコイル１５および部材１７は、第１の共振回路を構成している。そして、補助アンテナ１４は、リーダライタからの送信信号に対して共振を起こし、この共振により当該送信信号を増幅して非接触式データキャリア１２に供給する。また、補助アンテナ１４は、非接触式データキャリア１２からの送信信号に対して共振を起こし、この共振により当該送信信号を増幅して前記リーダライタに供給する。
【００４１】
図４は、図３の非接触式データキャリア装置を縦方向に切断した場合の概略的な要部拡大断面図である。
絶縁基材１１の表面には、線パターン１６Ａ〜１６Ｃが形成されており、また、不図示の接着剤またはのりを介して非接触式データキャリア１２が固定されている。
【００４２】
図５は、図３中の補助アンテナのアンテナコイルの両端付近を拡大した要部拡大図である。なお、部材１７は、線パターンの様子を判り易くするため、四角形の枠で示している。
【００４３】
部材１７には、１対の電極端子が形成されており、一方の電極端子は最内周の線パターン１６Ａの端子１８Ａにバンプを介して接続されており、他方の電極端子は最外周の線パターン１６Ｃの端子１８Ｂにバンプを介して接続されており、部材１７は、フリップチップ実装されている。
【００４４】
最内周の線パターン１６Ａと中間の線パターン１６Ｂは、端子１８Ａ，１８Ｂ間において線幅が狭くなっており、端子１８Ａの側でつながっている。
最外周の線パターン１６Ｃと中間の線パターン１６Ｂは、端子１８Ａ，１８Ｂ間において線幅が狭くなっており、端子１８Ｂの側でつながっている。
【００４５】
円形のマーク１９Ａ，１９Ｂは、部材１７をフリップチップ実装する場合に、位置合わせ用に用いられる。例えば、フリップチップボンダ等の実装装置により部材１７を実装する場合に、マーク１９Ａ，１９Ｂを撮影して画像処理することで、正確な位置に実装することができる。
【００４６】
図６は、図３中の非接触式データキャリアを示す概略的な構成図である。
この非接触式データキャリア１２は、矩形状または略矩形状の絶縁基材７１と、アンテナコイル７５と、部材７８と、マーク７１Ａ，７１Ｂ等とを有する。部材７８は、フリップチップ実装されており、線パターンの様子を判り易くするため、図中では四角形の枠で示している。
【００４７】
絶縁基材７１の一方の面には、アンテナコイル７５、マーク７１Ａ，７１Ｂ等が形成されている。アンテナコイル７５は、絶縁基材７１の表面に、周縁に沿って周回する線パターン７６からなる。
【００４８】
アンテナコイル７５の一端７２Ａおよび他端７２Ｂの近傍に、マーク７１Ａ，７１Ｂ等が形成されている。アンテナコイル７５の一端７２Ａから他端７２Ｂまでの線パターン７６の巻数は６である。
アンテナコイル７５は、例えば、約５μｍ〜約５０μｍの一定または略一定の厚さの銅箔、鉄箔、アルミニウム箔等とし、好ましくはアルミニウム箔とする。
【００４９】
非接触式データキャリア１２において、アンテナコイル７５および部材７８は、第２の共振回路を構成している。この第２の共振回路の共振周波数と、前記第１の共振回路の共振周波数は、同一または略同一となっている。部材７８は、例えば、ＩＣチップ、コンデンサ等により構成され、また、当該ＩＣチップにコンデンサをパターン形成してもよい。
【００５０】
図７は、図６中のアンテナコイルの両端付近を拡大した部分拡大図である。
アンテナコイル７５の一端７２Ａの近傍には、円形のマーク７１Ａが導体パターンにより形成されている。
アンテナコイル７５の他端７２Ｂの近傍には、円形のマーク７１Ｂが導体パターンにより形成されている。
【００５１】
また、アンテナコイル７５の線パターンの間に、四角形のマーク７３Ａ，７３Ｂが導体パターンにより形成されている。
マーク７１Ａ，７１Ｂ，７３Ａ，７３Ｂは、円形のマーク７１Ａ，７１Ｂの中心を結ぶ直線と、四角形のマーク７３Ａ，７３Ｂの中心を結ぶ直線とが直交または実質的に直交するような配置になっている。
【００５２】
この非接触式データキャリア１２では、アンテナコイル７５と、マーク７１Ａ，７１Ｂとを絶縁性のレジスト材料による絶縁膜（絶縁層）で覆い、端子７２Ａ，７２Ｂおよびマーク７３Ａ，７３Ｂを露出させて部材７８を接続してもよく、さらには端子７２Ａ，７２Ｂのうち、部材７８との接続部分のみを露出させ、他の部分を絶縁膜で覆うようにしてもよい。
【００５３】
円形のマーク７１Ａ，７１Ｂは、部材７８をフリップチップ実装する場合に、位置合わせ用に用いられる。例えば、フリップチップボンダ等の実装装置により部材７８を実装する場合に、マーク７１Ａ，７１Ｂを撮影して画像処理することで、正確な位置に実装することができる。
また、部材７８の実装では、四角形のマーク７３Ａ，７３Ｂのうち一方のマークを用い、当該一方のマークおよび端子７２Ａ，７２Ｂに部材７８の表面電極を接合することで、部材７８を３箇所で接合して安定性を向上可能である。
【００５４】
図８は、本発明に係る非接触式データキャリア装置の第２の実施の形態を示す概略的な構成図である。
この非接触式データキャリア装置２０は、図１の非接触式データキャリア装置１０中の補助アンテナ１４に対して保護層２９を設けた構成である。
なお、非接触式データキャリア装置２０において、図１の非接触式データキャリア装置１０と同一構成部分には同一符号を付しており、同一構成部分の説明を適宜省略する。
【００５５】
非接触式データキャリア装置２０は、補助アンテナ２４と、非接触式データキャリア１２とを有する。
補助アンテナ２４は、絶縁基材１１と、アンテナコイル１５と、部材１７と、保護層２９と、絶縁性のポケット２８とを有する。
【００５６】
絶縁基材１１上のアンテナコイル１５および部材１７は、保護層２９により覆われている。
ポケット２８は、保護層２９により構成されており、非接触式データキャリア１２を収納している。
【００５７】
図９は、図８の非接触式データキャリア装置を縦方向に切断した場合の概略的な要部拡大断面図である。
補助アンテナ２４の絶縁基材１１上の線パターン１６Ａ〜１６Ｃは、保護層２９により覆われており、ポケット２８には、絶縁基材１１の表面に接するように非接触式データキャリア１２が収納されている。ポケット２８により、非接触式データキャリア１２を容易に出入れできるようになっている。
【００５８】
図１０は、本発明に係る非接触式データキャリア装置の第３の実施の形態を示す概略的な構成図である。
この非接触式データキャリア装置３０は、図１の非接触式データキャリア装置１０中の補助アンテナ１４に対して保護層３９を設けた構成である。
なお、非接触式データキャリア装置３０において、図１の非接触式データキャリア装置１０と同一構成部分には同一符号を付しており、同一構成部分の説明を適宜省略する。
【００５９】
非接触式データキャリア装置３０は、補助アンテナ３４と、非接触式データキャリア１２とを有する。
補助アンテナ３４は、絶縁基材１１と、アンテナコイル１５と、部材１７と、保護層３９と、絶縁性のポケット３８とを有する。
【００６０】
絶縁基材１１上のアンテナコイル１５および部材１７は、保護層３９により覆われている。
ポケット３８は、保護層３９により構成されており、非接触式データキャリア１２を収納している。
【００６１】
図１１は、図１０の非接触式データキャリア装置を縦方向に切断した場合の概略的な要部拡大断面図である。
補助アンテナ３４の絶縁基材１１の上面と、この上面に形成された線パターン１６Ａ〜１６Ｃは、保護層３９により覆われており、ポケット３８には、非接触式データキャリア１２が収納されている。ポケット３８により、非接触式データキャリア１２を容易に出入れできるようになっている。
【００６２】
図１２は、図１０の非接触式データキャリア装置３０を取り付けた段ボール箱を例示する説明図である。
図１２（Ａ）では、段ボール箱４１の４つの側面のうち１つの側面４４に対し、非接触式データキャリア装置３０が貼付されている。
段ボール箱４１の上面には段ボール４２Ａ，４２Ｂが折り畳まれている。前記側面４４の段ボールは、段ボール４２Ａに隣接しており、段ボール４２Ａ，４２Ｂ間の間隙４２Ｃに対して平行または略平行になっている。側面４３の段ボールは、側面４４の段ボールに隣接しており、段ボール４２Ａ，４２Ｂ間の間隙４２Ｃに対して垂直または略垂直になっている。
【００６３】
図１２（Ｂ）では、段ボール箱５１の４つの側面のうち１つの側面５３に対し、非接触式データキャリア装置３０が貼付されている。
段ボール箱５１の上面には段ボール５２Ａ，５２Ｂが折り畳まれている。側面５４の段ボールは、段ボール５２Ａに隣接しており、段ボール５２Ａ，５２Ｂ間の間隙５２Ｃに対して平行または略平行になっている。側面５３の段ボールは、側面５４の段ボールに隣接しており、段ボール５２Ａ，５２Ｂ間の間隙５２Ｃに対して垂直または略垂直になっている。
【００６４】
図１３は、非接触式データキャリア装置を用いた物流システムを例示する説明図である。
この物流システム５０は、ベルトコンベア５５と、このベルトコンベア５５に搭載された段ボール箱５１と、非接触式データキャリア装置３０と、柱５９に設置されたリーダライタ５８とを有する。
【００６５】
段ボール箱５１の側面には、非接触式データキャリア装置３０が貼付されている。
この段ボール箱５１は、ベルトコンベア５５により矢印５５Ａの方向に移動し、非接触式データキャリア装置３０は、リーダライタ５８との通信距離の範囲外から範囲内に移動し、リーダライタ５８との無線通信を行う。
リーダライタ５８は、非接触式データキャリア装置３０との無線通信を行い、非接触式データキャリア１２から段ボール箱５１の出荷先等の情報を読み取り、読み取った情報を不図示のコンピュータに供給する。
【００６６】
段ボール箱５１は、ベルトコンベア５５により矢印５５Ａの方向にさらに移動し、非接触式データキャリア装置３０は、リーダライタ５８との通信距離の範囲外に移動する。
【００６７】
上記の物流管理システム５０では、非接触式データキャリア装置３０とリーダライタ５８とを通信距離の範囲内に近づける必要がある。
非接触式データキャリア装置３０の通信距離は、補助アンテナ３４がない場合の非接触式データキャリア１２の通信距離よりも大きいので、非接触式データキャリア１２のみを側面に貼付した段ボール箱の場合に比べて、ベルトコンベア５５と柱５９との距離を大きくすることができ、段ボール箱５１の搭載位置の自由度を広げることができる。
【００６８】
図１４は、カバンを例示する説明図である。
このカバン６１には、非接触式データキャリア装置３０が収納されている。
非接触式データキャリア装置３０内の非接触式データキャリア１２は、定期券として使用される。
【００６９】
図１５は、非接触式データキャリア装置を用いた自動改札システムを例示する説明図である。
この自動改札システム６０は、自動改札機６９と、非接触式データキャリア装置３０とを有する。非接触式データキャリア装置３０は、カバン６１に収納されている。自動改札機６９の側面６６にはリーダライタ６８が設置されている。
【００７０】
自動改札システム６０の利用者は、改札口を通過する場合に、カバン６１を自動改札機６９のリーダライタ６８に近づける。
非接触式データキャリア装置３０は、リーダライタ６８との通信距離の範囲外から範囲内に移動し、リーダライタ６８との無線通信を行う。
リーダライタ６８は、非接触式データキャリア装置３０との無線通信を行い、定期券の有効期限等の情報を非接触式データキャリア１２から読み取り、前記情報に基づいて自動改札機６９は不図示のゲートを開閉する。
【００７１】
上記の自動改札システム６０では、非接触式データキャリア装置３０とリーダライタ６８とを通信距離の範囲内に近づける必要がある。
非接触式データキャリア装置３０の通信距離は、補助アンテナ３４がない場合の非接触式データキャリア１２の通信距離よりも大きいので非接触式データキャリア装置３０とリーダライタ６８との距離を大きくすることができ、利用者は、非接触式データキャリア１２をカバン６１から取り出す手間を省くことができる。
【００７２】
なお、上記実施の形態は本発明の例示であり、本発明は上記実施の形態に限定されない。
【００７３】
【発明の効果】
以上に説明したように、本発明によれば、非接触式データキャリアおよび補助アンテナを有し、非接触式データキャリアの通信距離を拡大可能な非接触式データキャリア装置と、この非接触式データキャリア装置で使用可能な補助アンテナとを提供することができる。
【図面の簡単な説明】
【図１】物流システムを例示する説明図である。
【図２】自動改札システムを例示する説明図である。
【図３】本発明に係る非接触式データキャリア装置の第１の実施の形態を示す構成図である。
【図４】図３の非接触式データキャリア装置を縦方向に切断した場合の概略的な要部拡大断面図である。
【図５】図３中の補助アンテナのアンテナコイルの両端付近を拡大した要部拡大図である。
【図６】図３中の非接触式データキャリアを示す概略的な構成図である。
【図７】図６中のアンテナコイルの両端付近を拡大した部分拡大図である。
【図８】本発明に係る非接触式データキャリア装置の第２の実施の形態を示す概略的な構成図である。
【図９】図８の非接触式データキャリア装置を縦方向に切断した場合の概略的な要部拡大断面図である。
【図１０】本発明に係る非接触式データキャリア装置の第３の実施の形態を示す概略的な構成図である。
【図１１】図１０の非接触式データキャリア装置を縦方向に切断した場合の概略的な要部拡大断面図である。
【図１２】図１０の非接触式データキャリア装置を取り付けた段ボール箱を例示する説明図である。
【図１３】非接触式データキャリア装置を用いた物流システムを例示する説明図である。
【図１４】非接触式データキャリア装置を収納したカバンを例示する説明図である。
【図１５】非接触式データキャリア装置を用いた自動改札システムを例示する説明図である。
【符号の説明】
１０，２０，３０…非接触式データキャリア装置、１１…絶縁基材（第１の絶縁基材）、１２…非接触式データキャリア、１４，２４，３４…補助アンテナ、１５…アンテナコイル（第１のアンテナコイル）、１６Ａ〜１６Ｃ，７６Ｉ…線パターン、１７…部材（第１の部材）、１８Ａ，１８Ｂ，７２Ａ，７２Ｂ…端子、１９Ａ，１９Ｂ，７１Ａ，７１Ｂ，７３Ａ，７３Ｂ…マーク、２８，３８…ポケット、２９，３９…保護層、４１，５１，１５１…段ボール箱、４２Ａ，４２Ｂ，５２Ａ，５２Ｂ…段ボール、４２Ｃ，５２Ｃ…間隙、４３，４４，５３，５４，６６，１５３…側面、５０，１５０…物流システム、５５，１５５…ベルトコンベア、５８，６８，１５８，１６８…リーダライタ、５９，１５９…柱、６０…自動改札システム、６１…カバン、６９，１６９…自動改札機、７１…絶縁基材（第２の絶縁基材）、７５…アンテナコイル（第２のアンテナコイル）、７８…部材（第２の部材）、１１２…非接触式データキャリア、１６７…上面。
【図１】
0004624537.tif 000002
【図２】
0004624537.tif 000003
【図３】
0004624537.tif 000004
【図４】
0004624537.tif 000005
【図５】
0004624537.tif 000006
【図６】
0004624537.tif 000007
【図７】
0004624537.tif 000008
【図８】
0004624537.tif 000009
【図９】
0004624537.tif 000010
【図１０】
0004624537.tif 000011
【図１１】
0004624537.tif 000012
【図１２】
0004624537.tif 000013
【図１３】
0004624537.tif 000014
【図１４】
0004624537.tif 000015
【図１５】
0004624537.tif 000016